(57)【要約】【課題】  搬送ローラ支持体と搬送ローラが別々に上下動し得るディスク再生機に適用した場合でも、ディスクが搬送ローラの位置まで挿入されると直ちにディスクを検出でき、しかも搬送ローラの動きを一箇所で検出するだけでディスク検出が行えるディスク検出装置を提供すること。【解決手段】  搬送ローラの中央最小径部とディスクとの間に制御レバーの一部を位置させて、該制御レバーの一部を付勢手段により該ローラに常時当接させる。これにより、搬送ローラがディスクの厚み方向に移動すると、直ちに制御レバーが検出スイッチを制御してディスクを検出する。【選択図】図３
2005202992.tif 000002
【特許請求の範囲】
【請求項１】
両端から中央に向けて漸次小径となるテーパ面を有する搬送ローラ（１２）の両端をローラ支持体（１０）で回転自在に支持し、ローラ支持体の動きにより、前記ローラを、挿入されたディスク（Ｄ）に対し接触させる搬送位置と該ディスクから離反させる非搬送位置とに選択的に位置させ、該ローラの位置の変化に連動する制御レバー（１６）により、検出スイッチ（２５）を制御するディスク再生機（１）において、
前記制御レバーの一部を前記ローラの中央最小径部とディスクとの間に位置させて、該制御レバーの一部を付勢手段（２４）により該ローラに常時当接させることを特徴とするディスク再生機のディスク検出装置。
【請求項２】
前記搬送ローラは、一対のテーパ付き弾性筒体（１４）を、所定の間隔をあけて金属軸（１３）に嵌合して構成され、両テーパ付き弾性筒体間の金属軸露出部（１５）を前記中央最小径部としたことを特徴とする請求項１に記載のディスク再生機のディスク検出装置。
【発明の詳細な説明】
【技術分野】
【０００１】
本発明は、ディスク再生機のディスク検出装置に関する。
【背景技術】
【０００２】
ディスク再生機内にディスクが挿入されているか否かを検出するディスク検出装置として、特開平２００１−１５５４１５には、光学的手段を用いてディスクを検出するものが開示されている。これはディスク挿入路の下方に発光素子と受光素子とを配置し、ディスク挿入路の上方には反射板を配置して、発光素子からの光を反射板で反射させ、受光素子で受光する。そして、ディスクで光路が遮断されることによりディスクを検出するようになっている。この構成では、ディスク挿入路の上下に反射板および発光、受光素子を配置するためのスペースが必要であり、かつ、発光素子と反射板との間、および反射板と受光素子との間に、焦点を合わせるために必要な光路長を確保しなければならない。そのため、ディスク再生機の薄型化が困難となっていた。また、発光、受光素子が高価なためディスク検出装置が高価となる問題もあった。
【０００３】
一方、特開平１０−１６２４６６号には光学的手段を用いることなくディスクの有無を検出するディスク検出装置が開示されている。これは、すなわち図５および図６の如く、搬送ローラ１０２を支持するローラ支持体１０１の位置を検出することによりディスクの有無を検出するもので、ローラ支持体１０１に連動する可動片１０３により検出スイッチ１０４をオン、オフ制御するように構成されている。
図５（ａ）および図６（ａ）は、ディスクが挿入される前の状態である。また、図５（ｂ）および図６（ｂ）はディスクが搬送ローラ１０２に接触する位置まで挿入された状態を示すもので、ローラ支持体１０１がディスクによって押し下げられている。
【０００４】
ディスクが挿入される前の状態では図６（ａ）の如く、ローラ支持体１０１で可動片１０３を図中右方へ押し、可動片１０３は検出スイッチ１０４を押圧している。そして、ディスクＤが搬送ローラ１０２に接触する位置まで挿入されると、ローラ１０２と共にローラ支持体１０１が図６（ｂ）に示す下方へ移動して可動片１０３から離れ、可動片１０３は、検出スイッチ１０４に対する押圧を解除し、これによってディスクが挿入されたことを検出する。
ところで、このディスク検出装置はローラ支持体１０１と搬送ローラ１０２とが常に一緒に上下動するため、ローラ支持体１０１の位置を検出することにより搬送ローラ１０２の位置を検出し、ディスクの有無を検出している。
【０００５】
しかしながら、例えば、特開２００２−２３０８７８号に示されたディスク再生機では、ディスクが挿入されてもローラ支持体はすぐには移動せず搬送ローラのみがディスク厚み方向へ移動し、ディスクが所定の位置まで搬送された後に、ローラ支持体も搬送ローラと一緒に下降するので、このようなディスク再生機に特開平１０−１６２４６６号のディスク検出装置を用いると、ディスクが所定の位置まで搬送されるまで、ディスクの有無を検出できないという問題があった。
また、前記特開２００２−２３０８７８号に示されたディスク再生機では、ローラ支持体の左右側板に長溝が設けられている。そして長溝に搬送ローラの金属軸端部を挿入させ、金属軸の端部をばねで上方へ押し上げている。このため、ディスク挿入口からディスクを挿入する際、ディスクが左方または右方に偏って挿入されると、ディスク搬送ローラの一端側のみ下降して他端側は移動しない。このためディスクの有無を確実に検出するためには、搬送ローラの両端部にローラ位置検出機構を設けなくてはならず、構造が複雑になり、価格も高くなるという問題があった。
【特許文献１】特開平２００１−１５５４１５号公報
【特許文献２】特開平１０−１６２４６６号公報
【特許文献３】特開２００２−２３０８７８号公報
【発明の開示】
【発明が解決しようとする課題】
【０００６】
本発明は以上の問題点を解決するもので、ディスク再生機の薄型化を容易にし、安価で、かつ、特許文献３のような、ローラ支持体と搬送ローラが別々に上下動し得るディスク再生機に適用した場合でも、一箇所で、搬送ローラの位置を検出してディスクの有無検出が行える、ディスク再生機のディスク検出装置を提供することを目的とする。
【０００７】
また、搬送ローラは、一般に合成ゴム等のテーパ付き弾性筒体を金属軸に嵌合して構成されるが、制御レバーがテーパ付き弾性筒体のテーパ面に当接させると、制御レバーの位置が不安定になり、ディスク検出精度が低下するという問題があった。
そこで、本発明は、検出精度の高いディスク再生機のディスク検出装置を提供することを目的とする。
【課題を解決するための手段】
【０００８】
本発明のディスク検出装置は、制御レバーの一部を搬送ローラの中央最小径部とディスクとの間に位置させて、該制御レバーの一部を付勢手段により該ローラに常時当接させている。したがって、搬送ローラがディスクの厚み方向に移動すると、制御レバーが検出スイッチを制御するのでディスクの有無を検出することができる。
【０００９】
また、前記搬送ローラは、一対のテーパ付き弾性筒体を、所定の間隔をあけて金属軸に嵌合した構成とする。
【発明の効果】
【００１０】
本発明のディスク検出装置によれば、ディスク挿入路の上下に部品を配置するような光学的手段を用いないので、ディスク再生機の薄型化が容易となり、かつ、高価な部品を用いないので安価に製造することができる。
また、ディスクの挿入により搬送ローラがディスクの厚み方向に移動すると、制御レバーが検出スイッチを制御してディスクが挿入されたことを検出するので、特許文献３のような、ローラ支持体と搬送ローラが別々に上下動し得るディスク再生機に用いても、ディスクの有無を一箇所で検出できる。
【００１１】
また搬送ローラは、一対のテーパ付き弾性筒体間に所定の間隔をあけ、金属軸露出部に制御レバーの一端を当接させるようにしたことにより、制御レバーの位置が安定し、ディスク検出精度を高めることができる。
【発明を実施するための最良の形態】
【００１２】
以下、本発明を実施するための最良の形態について、図面を参照して説明する。
図１は車載用のディスク再生機１を示す斜視図で、ディスク再生機１は筐体２の前面にディスクＤを挿脱するディスク挿脱口３を設けている。また、図２の如く、筐体２の内部にはダンパ５（図１参照）を介してフローティングシャーシ４が装着されている。フローティングシャーシ４はメインシャーシ６とその上方のサブシャーシ７とで構成され、ディスクＤは、ディスク挿脱口３を通して、メインシャーシ６とサブシャーシ７との間に挿入される。
【００１３】
メインシャーシ６の上面後部にはクランパ支持体８が取り付けられており、このクランパ支持体８にクランパ９が回転自在に支持されている。メインシャーシ６の下面には図示しないモータを含む駆動機構、ピックアップを含むディスク再生手段、検出スイッチ支持板１１等が取付けられ、メインシャーシ６の左右側板間には、搬送ローラ支持体１０が支持されている。サブシャーシ７の下面には、ディスクガイド（図示しない）を設け、このディスクガイドと搬送ローラ１２とでディスクＤを挟持する。
【００１４】
図３の如く、搬送ローラ１２は金属軸１３に合成ゴムよりなる一対のテーパ付き弾性筒体１４を所定の間隔をあけて嵌合して構成されている。金属軸１３の両端部は各弾性筒体１４から突出している。また金属軸１３の一端部１３ａには合成樹脂製ギヤ１７が取り付けられ、金属軸１３の他端部１３ｂには合成樹脂で形成されたキャップ１８が取り付けられている。
また、搬送ローラ支持体１０の左右側板には長溝２０が設けられており、各長溝２０に金属軸１３の左右端部１３ａ、１３ｂを挿入させている。
さらに、金属軸１３の左右端部１３ａ、１３ｂは下方からばね１９によって上方へ付勢されて、長溝２０の上端に押し付けられている。
【００１５】
図４は搬送ローラ１２周辺を側面から見た図である。図示の如く、メインシャーシ６の前端縁は下方に折曲げられ、その折曲げられた前端縁部２１の中央部に制御レバー支持孔２２が形成されている。図中１６は合成樹脂製の制御レバーで、この制御レバー１６は、中間部を前記支持孔２２にて回動自在に支持されている。
【００１６】
前記制御レバー１６には角孔２３が形成されている。メインシャーシ６の前端縁部２１と制御レバー１６との間には、板ばね２４を介在させ、この板ばね２４の一端部を支持孔２２、他端部を角孔２３に、それぞれ差し込んでいる。検出スイッチ２５は検出スイッチ支持板１１上に取り付けられており、該検出スイッチ支持板１１はメインシャーシ６の一部を下方にＬ字形に折り曲げて形成された折曲片２６（図４では断面を示している）にねじ止めされている。制御レバー１６は板ばね２４の付勢力により、矢印方向へ付勢され、一端部１６ａを常時搬送ローラ１２の金属軸露出部１５に当接させている。このとき制御レバー１６の他端部１６ｂは検出スイッチ２５の操作ボタンに押付けられている。
【００１７】
以上の如く構成されたディスク再生機１の動作について説明する。
図２ａはディスクＤが挿入されていない状態を示す側面図で、筐体２に搬送ローラ支持体１０が係合し、フローティングシャーシ４は筐体２に対して移動規制されている。
図２ｂの如く、ディスクＤを挿脱口３から挿入すると、図示しない手段によりディスクＤの挿入を検知して、搬送ローラ１２を回転させる。
【００１８】
ディスクＤがディスクガイド（図示しない）と搬送ローラ１２との間に挿入されると、搬送ローラ１２はばね１９の付勢力に抗して搬送ローラ支持体１０の長溝２０内をディスクＤの厚み分だけ下降する。すると、図４の如く、板ばね２４の付勢力により制御レバー１６の一端部１６ａが仮想線で示す如く、搬送ローラ１２の下降に追従し、制御レバー１６の回動により他端部１６ｂが検出スイッチ２５から離れる。これによってディスクＤが挿入されたことを検出する。
【００１９】
図２ｃの如く、搬送ローラ１２の回転によりディスクＤが所定の再生位置まで搬送されると、ディスク位置検知手段（図示しない）によりディスクの位置が検知されて、搬送ローラ１２の回転が停止する。そして、筐体２に係合していた搬送ローラ支持体１０の係合を解除し、筐体２に対しフローティングシャーシ４はフローティング状態となる。続いて、駆動機構（図示しない）によりクランパ９を下降させ、クランパ９とターンテーブル２７とでディスクＤを挟持する。そしてターンテーブル２７が回転駆動され、ディスク再生が行われる。
【００２０】
この実施の形態では、ディスクＤの挿入により搬送ローラ１２が下降すると、直ちに制御レバー１６が検出スイッチ２５を制御してディスクを検出する。したがって、搬送ローラ支持体１０と搬送ローラ１２とが別々に上下動し得るディスク再生機に用いても、搬送ローラ１２の位置を直ちに、しかも一箇所で検出するだけで、ディスクＤの検出が行える。
さらに、光学的手段を用いないので、ディスク再生機の薄型化が容易になり、かつコスト低下が図られる。
【００２１】
また搬送ローラ１２は、一対のテーパ付き弾性筒体１４間に所定の間隔をあけ、金属軸露出部１５に制御レバー１６の一端部１６ａを当接させるようにしたことにより、制御レバー１６の位置が安定し、ディスク検出精度を高めることができる。
【００２２】
以上、本発明の一実施形態について説明したが、本発明はこれに限定されるものではない。例えば、前記実施形態では板ばね２４の付勢力により、制御レバー１６を搬送ローラ１２に常時当接させるものとしたが、付勢手段としては板ばね２４に限らず、例えば合成樹脂製制御レバー１６の一部に弾性片を一体形成して付勢手段とし、この弾性片の弾性力により制御レバー１６を搬送ローラ１２に当接させるようにしてもよい。
【図面の簡単な説明】
【００２３】
【図１】ディスク再生機の外観を示す斜視図
【図２】搬送ローラと搬送ローラ支持体との関係を示す分解斜視図
【図３】搬送ローラ１２周辺を一部断面にして示す側面図
【図４】動作を説明する側面図
【図５】従来のディスク検出装置の側面図
【図６】従来のディスク検出装置の一部を示す斜視図
【符号の説明】
【００２４】
１    ディスク再生機
１０  搬送ローラ支持体
１２  搬送ローラ
１３  金属軸
１４  テーパ付き弾性筒体
１５  金属軸露出部
１６  制御レバー
２４  板ばね
２５  検出スイッチ
Ｄ    ディスク
【図５】
2005202992.tif 000003
【図６】
2005202992.tif 000004
【図１】
2005202992.tif 000005
【図２】
2005202992.tif 000006
【図３】
2005202992.tif 000007
【図４】
2005202992.tif 000008